【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
ａ）少なくとも約５５ｗｔ％の分子がパラフィン官能性を有し、少なくとも約２５ｗｔ％の分子がシクロパラフィン官能性を有し、シクロパラフィン官能性を有する分子の重量パーセントに対するパラフィン官能性を有する分子の重量パーセントの比は約２であり、約３５９℃から４９０℃の間の沸点範囲、約９６から１０６の間のＶＩ、約１９０℃から２２８℃の間の引火点、１００℃で約３．０ｃＳｔから７．０ｃＳｔの間の動粘度、及び４０℃で約２４ｃＳｔから３４ｃＳｔの間の動粘度を備える、第１基油；
ｂ）第２基油；並びに
ｃ）添加剤パッケージ
を含み、第１基油を約３０ｗｔ％から５０ｗｔ％の間、及び第２基油を約１０ｗｔ％から３０ｗｔ％の間で含み、かつ、−３０℃で５０，０００未満のＭＲＶを有し、降伏応力がなく、約１５ｗｔ％未満のノアック揮発性；約４０，０００ｃＰから５０，０００ｃＰの間の走査ブルックフィールド粘度；及び約−３９℃から−４６℃の間の流動点を有する、マルチグレードエンジン油。
【請求項２】
第２基油が、連続数の炭素原子を有する炭化水素を含み、約３７０℃から５３０℃の間の沸点範囲、約９０から１１０の間のＶＩ、約６．０ｗｔ％から１６ｗｔ％の間のノアック揮発性、１００℃で約４．０ｃＳｔから９．０ｃＳｔの間の動粘度、４０℃で約３６ｃＳｔから５０ｃＳｔの間の動粘度、約２０２℃から２４０℃の間の引火点、１ｗｔ％未満の総芳香族含量、−２０℃で約３２００ｃＰから３８００ｃＰの間のＣＣＳ  ＶＩＳ、及び、約−８℃から−１７℃の間の流動点を備える、請求項１に記載のマルチグレードエンジン油。
【請求項３】
第２基油が、約３５５℃から５５３℃の間の沸点範囲、約９０から１０５の間のＶＩ、約７．０ｗｔ％から１７ｗｔ％の間のノアック揮発性、１００℃で約４．０ｃＳｔから８．０ｃＳｔの間の動粘度、４０℃で約３５ｃＳｔから５１ｃＳｔの間の動粘度、約２０６℃から２３５℃の間の引火点、２．５ｗｔ％未満の総芳香族含量、−２０℃で約２９００ｃＰから４２００ｃＰの間のＣＣＳ  ＶＩＳ、及び、約−９℃から−１８℃の間の流動点を備える、請求項１に記載のマルチグレードエンジン油。
【請求項４】
約８５から９８の間のＶＩ、１００℃で約１．０ｃＳｔから４．０ｃＳｔの間の動粘度、４０℃で約６．０ｃＳｔから１４ｃＳｔの間の動粘度、約１５０℃から１７２℃の間の引火点、及び約０℃から−６℃の間の流動点を備える第３基油をさらに含む、請求項２又は３に記載のマルチグレードエンジン油。
【請求項５】
約５ｗｔ％から２０ｗｔ％の第３基油を含む、請求項４に記載のマルチグレードエンジン油。
【請求項６】
第１基油がＰｅｔｒｏｂｒａｓ（商標）Ｐａｒａｆｆｉｎｉｃ  Ｌｉｇｈｔ  Ｎｅｕｔｒａｌ  ３０であり、第２基油がＣｈｅｖｒｏｎ（商標）２２０Ｒである、請求項２に記載のマルチグレードエンジン油。
【請求項７】
第１基油がＰｅｔｒｏｂｒａｓ（商標）Ｐａｒａｆｆｉｎｉｃ  Ｌｉｇｈｔ  Ｎｅｕｔｒａｌ  ３０であり、第２基油がＭｏｔｉｖａ（商標）Ｓｔａｒ  ６である、請求項３に記載のマルチグレードエンジン油。
【請求項８】
第３基油がＰｅｔｒｏｂｒａｓ（商標）Ｐａｒａｆｆｉｎｉｃ  Ｓｐｉｎｄｌｅ  ０９である、請求項５に記載のマルチグレードエンジン油。
【請求項９】
第１基油が、少なくとも約６０ｗｔ％の分子がパラフィン官能性を有し、少なくとも約２８ｗｔ％の分子がシクロパラフィン官能性を有し、約９９から１０３の間のＶＩ、約１９８℃から２２０℃の間の引火点、１００℃で約４．０ｃＳｔから６．０ｃＳｔの間の動粘度、及び４０℃で約２６ｃＳｔから３２ｃＳｔの間の動粘度を備え；
第２基油が、約１００から１０４の間のＶＩ、約８．０ｗｔ％から１３ｗｔ％の間のノアック揮発性、１００℃で約５．０ｃＳｔから８．０ｃＳｔの間の動粘度、４０℃で約３９ｃＳｔから４７ｃＳｔの間の動粘度、約２０８℃から２３４℃の引火点、０．８ｗｔ％未満の総芳香族含量、−２０℃で約３３００ｃＰから３７００ｃＰの間のＣＣＳ  ＶＩＳ、及び約−１１℃から−１４℃の間の流動点を備え；並びに
マルチグレードエンジン油が、さらに
約８８から９５の間のＶＩ、１００℃で約２．０ｃＳｔから３．０ｃＳｔの間の動粘度、約１５８℃から１６４℃の間の引火点、及び、約−１℃から−４℃の間の流動点を備える、第３基油を含み、
約４９．２ｗｔ％の第１基油、及び約２０ｗｔ％の第２基油、及び約１３ｗｔ％の第３基油を含む、請求項２に記載のマルチグレードエンジン油。
【請求項１０】
第１基油が、少なくとも約６０ｗｔ％の分子がパラフィン官能性を有し、少なくとも約２８ｗｔ％の分子がシクロパラフィン官能性を有し、約９９から１０３の間のＶＩ、約１９８℃から２２０℃の間の引火点、１００℃で約４．０ｃＳｔから６．０ｃＳｔの間の動粘度、及び、４０℃で約２６ｃＳｔから３２ｃＳｔの間の動粘度を備え；
第２基油が、約９４から１０２の間のＶＩ、約１０ｗｔ％から１４ｗｔ％の間のノアック揮発性、１００℃で約５．５ｃＳｔから７．５ｃＳｔの間の動粘度、４０℃で約３９ｃＳｔから４７ｃＳｔの間の動粘度、約２１１℃から２２９℃の間の引火点、２ｗｔ％未満の総芳香族含量、−２０℃で約３１００ｃＰから３９００ｃＰの間のＣＣＳ  ＶＩＳ、及び、約−１１℃から−１６℃の間の流動点を備え；並びに
マルチグレードエンジン油が、さらに
約８８から９５の間のＶＩ、１００℃で約２．０ｃＳｔから３．０ｃＳｔの間の動粘度、約１５８℃から１６４℃の間の引火点、及び、約−１℃から−４℃の間の流動点を備える、第３基油を含み、
約４９．２ｗｔ％の第１基油、及び約２０ｗｔ％の第２基油、及び約１３ｗｔ％の第３基油を含む、請求項３に記載のマルチグレードエンジン油。
【請求項１１】
添加剤パッケージが、
ａ）約５ｗｔ％から１５ｗｔ％の間の洗剤及び分散剤；
ｂ）約３ｗｔ％から９ｗｔ％の間の非分散性粘度調整剤；
ｃ）約０．５ｗｔ％から２ｗｔ％の間の摩擦低減化合物；
ｄ）約ゼロから０．５ｗｔ％の間の流動点降下剤；並びに
ｅ）約０．００１から０．００８ｗｔ％の間の解乳化剤
を含む、請求項９又は１０に記載のマルチグレードエンジン油。
【請求項１２】
ＳＡＥ粘度グレード１０Ｗ−３０エンジン油に関する仕様を満たす、請求項１に記載のマルチグレードエンジン油。
【請求項１３】
約１０ｗｔ％未満のノアック揮発性を有する、請求項１に記載のマルチグレードエンジン油。
【請求項１４】
ＳＡＥ粘度グレード０Ｗ−ＸＸ、５Ｗ−ＸＸ又は１０Ｗ−ＸＸ（ＸＸが整数２０、３０又は４０を表す）のエンジン油に関する仕様を満たす、請求項１に記載のマルチグレードエンジン油。
【請求項１５】
ａ）少なくとも約５５ｗｔ％の分子がパラフィン官能性を有し、少なくとも約２５ｗｔ％の分子がシクロパラフィン官能性を有し、シクロパラフィン官能性を有する分子の重量パーセントに対するパラフィン官能性を有する分子の重量パーセントの比は約２であり、約３５９℃から４９０℃の間の沸点範囲、約９６から１０６の間のＶＩ、約１９０℃から２２８℃の間の引火点、１００℃で約３．０ｃＳｔから７．０ｃＳｔの間の動粘度、及び４０℃で約２４ｃＳｔから３４ｃＳｔの間の動粘度を備える、グループＩ基油である第１基油；並びに
ｂ）グループＩＩ基油である第２基油； 
を含み、
第１基油を約３０ｗｔ％から５０ｗｔ％の間、及び第２基油を約１０ｗｔ％から３０ｗｔ％の間で含む、マルチグレードエンジン油。
【請求項１６】
第２基油が、連続数の炭素原子を有する炭化水素を含み、約３７０℃から５３０℃の間の沸点範囲、約９０から１１０の間のＶＩ、約６．０ｗｔ％から１６ｗｔ％の間のノアック揮発性、１００℃で約４．０ｃＳｔから９．０ｃＳｔの間の動粘度、４０℃で約３６ｃＳｔから５０ｃＳｔの間の動粘度、約２０２℃から２４０℃の間の引火点、１ｗｔ％未満の総芳香族含量、−２０℃で約３２００ｃＰから３８００ｃＰの間のＣＣＳ  ＶＩＳ、及び約−８℃から−１７℃の間の流動点を備える、請求項１５に記載のマルチグレードエンジン油。
【請求項１７】
第１基油がＰｅｔｒｏｂｒａｓ（商標）Ｐａｒａｆｆｉｎｉｃ  Ｌｉｇｈｔ  Ｎｅｕｔｒａｌ  ３０であり、第２基油がＣｈｅｖｒｏｎ（商標）２２０Ｒである、請求項１５に記載のマルチグレードエンジン油。
【請求項１８】
−３０℃で５０，０００未満のＭＲＶを有し、降伏応力がない、請求項１５に記載のマルチグレードエンジン油。
【請求項１９】
約１０ｗｔ％未満のノアック揮発性を有する、請求項１５に記載のマルチグレードエンジン油。
【請求項２０】
ＳＡＥ粘度グレード０Ｗ−ＸＸ、５Ｗ−ＸＸ又は１０Ｗ−ＸＸ（ＸＸが整数２０、３０又は４０を表す）のエンジン油に関する仕様を満たす、請求項１５に記載のマルチグレードエンジン油。
【請求項２１】
ａ）降伏応力がなく、−３０℃で５０，０００未満のＭＲＶ；
ｂ）約１５ｗｔ％未満のノアック揮発性；
ｃ）約４０，０００ｃＰから５０，０００ｃＰの間の走査ブルックフィールド粘度；及び
ｄ）約−３９℃から−４６℃の間の流動点
を有する、請求項１５に記載のマルチグレードエンジン油。
【請求項２２】
約８５から９８の間のＶＩ、１００℃で約１．０ｃＳｔから４．０ｃＳｔの間の動粘度、４０℃で約６．０ｃＳｔから１４ｃＳｔの間の動粘度、約１５０℃から１７２℃の間の引火点、及び約０℃から−６℃の間の流動点を備える、第３基油をさらに含む、請求項１５に記載のマルチグレードエンジン油。